(57)【要約】【課題】バックライト装置がヤニ、ススなどで汚染し、輝度低下が低下する。【解決手段】バックライト装置を有する液晶表示装置において、前記バックライト装置の構成部品の一部（表面）に光触媒膜、または酸化チタン膜、またはブルッカイト型酸化チタンを含む光触媒膜が形成されるように構成する。これにより、バックライト構成部品に付着した汚れを光触媒作用によって分解することが可能となり、バックライト装置の輝度低下を防ぐことが可能となり、液晶表示装置の長寿命化を実現することが可能となる。【選択図】図１
2005227542.tif 000002
【特許請求の範囲】
【請求項１】
バックライト装置を有する液晶表示装置において、前記バックライト装置の構成部品の一部に光触媒膜が形成されていることを特徴とする液晶表示装置。
【請求項２】
バックライト装置を有する液晶表示装置において、前記バックライト装置の構成部品の一部に酸化チタン膜が形成されていることを特徴とする液晶表示装置。
【請求項３】
バックライト装置を有する液晶表示装置において、前記バックライト装置の構成部品の一部にブルッカイト型酸化チタンを含む光触媒膜が形成されていることを特徴とする液晶表示装置。
【請求項４】
前記バックライト装置に含まれる光源は冷陰極管であることを特徴とする請求項１または請求項２または請求項３に記載の液晶表示装置。
【請求項５】
前記バックライト装置に含まれる光源は発光ダイオードであることを特徴とする請求項１または請求項２または請求項３に記載の液晶表示装置。
【請求項６】
前記バックライト装置に含まれる光源は有機ＥＬ素子であることを特徴とする請求項１または請求項２または請求項３に記載の液晶表示装置。
【請求項７】
前記バックライト装置に含まれる光源は白熱電球であることを特徴とする請求項１または請求項２または請求項３に記載の液晶表示装置。
【発明の詳細な説明】
【技術分野】
【０００１】
本発明は液晶表示装置の高寿命化技術に関する。
【背景技術】
【０００２】
液晶表示装置は自発光素子ではないためバックライトが必要となる。バックライトは光源である冷陰極管やＬＥＤ、光源からの光を前面に反射する反射板、光を前面に導く導光版、光を均一に拡散するための拡散板などにより構成される。
【０００３】
これらバックライト構成部品には汚れに対する自浄作用がなく、使用時間の増大ととも大気中のほこりやタバコのヤニなどの汚染物質が付着し、バックライト輝度が低下する。バックライトの輝度低下は表示装置の製品寿命の低下につながるため問題である。そこで従来の技術では、バックライト反射板に帯電防止膜を形成するなどして汚れが付着するのを防いでいた。
【特許文献１】特開平１１−１６２３７９号公報
【発明の開示】
【発明が解決しようとする課題】
【０００４】
しかしながら、帯電防止膜による汚れの付着防止方法では不完全であるため前記汚染物質などの付着は防ぐことができなかった。そのため、一度汚れが付着すると、バックライトユニットを分解して清掃する必要があるため、使用者自身が付着した汚れを除去することは事実上不可能であり、輝度が低下した状態で使用せざるを得なかった。
【０００５】
ところで、近年光触媒による自浄作用が注目されている。光触媒の中でも酸化チタンは他の光触媒に比べて強い酸化力があり、弱い光で触媒作用を発揮するといった優れた性能を有する。従来は光触媒として酸化チタンが用いられる場合、成膜の容易性などの点からアナターゼ型が多く用いられていた。しかしアナターゼ型酸化チタンは主に紫外領域の光によって光触媒効果を発揮する。そのため、可視光領域の光を照射しても光触媒として作用しないという問題点があり、光源も紫外線を射出するもの以外は使用できなかった。また結晶化するには高温下での処理が必要なため、高温に耐える材料にしか成膜できなかった。
【課題を解決するための手段】
【０００６】
本願第１の発明は、バックライト装置を有する液晶表示装置において、前記バックライト装置の構成部品の一部に光触媒膜が形成されるようにしたものである。
【０００７】
本願第２の発明は、バックライト装置を有する液晶表示装置において、前記バックライト装置の構成部品の一部に酸化チタン膜が形成されるようにしたものである。
【０００８】
本願第３の発明は、バックライト装置を有する液晶表示装置において、前記バックライト装置の構成部品の一部にブルッカイト型酸化チタンを含む光触媒膜が形成されるようにしたものである。
【発明の効果】
【０００９】
本願第１の発明によれば、バックライト装置を有する液晶表示装置において、前記バックライト装置の構成部品の一部に光触媒膜が形成されるように構成することで、バックライト構成部品に付着した汚れを光触媒によって分解することが可能となり、バックライト装置の輝度低下を防ぐことが可能となり、液晶表示装置の長寿命化を実現することが可能となる。
【００１０】
また本願第２の発明によれば、バックライト装置を有する液晶表示装置において、前記バックライト装置の構成部品の一部に酸化チタン膜が形成されるように構成することで、他の光触媒材料を用いる場合よりも薄膜化しやすく、光触媒膜によるバックライト装置の透過率低下を抑制することができる。また弱い光でも光触媒効果を発揮することが可能となる。
【００１１】
また本願第３の発明によれば、バックライト装置を有する液晶表示装置において、前記バックライト装置の構成部品の一部にブルッカイト型酸化チタンを含む光触媒膜が形成されるように構成することで、無色透明な光触媒膜を形成することが可能となり、他の酸化チタン系光触媒膜よりもバックライト装置の透過率低下を抑制することができる。
【発明を実施するための最良の形態】
【００１２】
（実施の形態１）以下、図面を参照して本発明の実施形態を説明する。
【００１３】
図１は本発明によるバックライト装置１０５を液晶表示装置１０１のバックライトとして使用する例を示す図である。液晶表示装置１０１は対向するガラス基板等の間に液晶を封入した公知の構成を応用することができる。バックライト装置１０５は本発明の構成要素である光学部品を収めたケース１０６を含み、ケース１０６の上面に液晶表示装置１０１が取りつけられる。
【００１４】
バックライト装置１０５は照明すべき対象物である液晶表示装置１０１の表面と平行に配置可能な導光板１０４を備え、この導光板１０４の底部に光源１０８が配置される。光源としては冷陰極管、発光ダイオード、有機ＥＬ素子、白熱電球などが用いられる。図１は光源として冷陰極管を用いた場合を示している。光源１０８は反射膜１０７によって部分的に取り囲まれ、光が導光板１０４の底部から有効に導光板１０４の内部に導入されるようになっている。反射膜は均一な白色の膜である。
【００１５】
導光板１０４の表面側には光を拡散する拡散板１０２が設けられる。このようにして、反射膜１０７、導光板１０４、および拡散板１０２が順番に密着して積層され、この集合体がケース１０５の平坦な底部に平行に支持される。ケース１０５には  導光板１０４、拡散板１０２を支持するための突起が設けられている。この突起は図示していない。また反射膜１０７はケース１０５の底部に配置される。
【００１６】
図２は、別の構成例を示したものである。図１との違いは光源１０８が導光板１０４の横部に配置されている点である。この構成によればバックライト装置を薄くすることができる。これ以外は図１と同一であるため、説明は省略する。
【００１７】
反射膜１０７、拡散板１０２、および導光板１０４の表面には光触媒膜が形成されている。光触媒材料としては、結晶形が斜方晶であるブルッカイト型酸化チタン粒子を用いる。光触媒膜の形成には、まず前記ブルッカイト型酸化チタン粒子含む水系酸化チタンスラリーと無機系バインダーと混合させたコーティング材を生成する。これをスピンコート法またはＤｉｐコート法を用いて反射膜１０７、拡散板１０２、および導光板１０４の表面に成膜する。この成膜は常温下で行うことができる。
【００１８】
このようにして形成された光触媒膜は無色透明であり、反射膜１０７、拡散板１０２、および導光板１０４の表面に成膜した状態での光の透過率の低下は、従来のアナターゼ型やルチル型の酸化チタンを用いた場合よりも少なくなる。よって従来よりも光源から射出した光をより有効に利用することができ、バックライト装置の消費電力を低減することが可能となる。またこれによりエネルギーの消費量を抑えることができ、地球環境保護にも役立つ。
【００１９】
また、ブルッカイト型酸化チタンは可視光応答性を有するため、光源として紫外線の射出量が極めて少ないものや、紫外線を全く射出しないものも利用可能となる。そのため光源として発光ダイオード（ＬＥＤ）や有機ＥＬ素子や白熱電球などを用いることができる。従来は、前記ＬＥＤや有機ＥＬ素子などの紫外線射出量の極めて少ないか全く射出しない光源は、紫外線にしか応答性のないアナターゼ型やルチル型の酸化チタンを用いた光触媒には使用できなかったため、この点も本発明による利点である。
【産業上の利用可能性】
【００２０】
本発明に係る液晶表示装置は、バックライト装置の輝度低下を防ぐことができる効果を有し、バックライトを有する表示装置として有用である。
【図面の簡単な説明】
【００２１】
【図１】本願第１の発明による液晶表示装置の断面図
【図２】本願第２の発明による液晶表示装置の断面図
【符号の説明】
【００２２】
１０１    液晶表示装置
１０２    拡散板
１０３    光触媒膜
１０４    導光版
１０５    バックライト装置
１０６    ケース
１０７    反射膜
１０８    光源
【図１】
2005227542.tif 000003
【図２】
2005227542.tif 000004